(57)【特許請求の範囲】
【請求項１】
複数の同一形状の硬質プラスチック製中空状板部材をそれぞれ軟質プラスチック製連結部材にて連結して折り畳み可能にした浴槽蓋において、前記硬質プラスチック製中空状板部材は、内部に中空部と補強桟とを有する形状の長手方向の任意の個所における断面が同一形状をなすように押出成形されたものを切断したものであって、その切断端にはキャップを固着しており、硬質プラスチック製中空状板部材の上面を凹凸状に湾曲または屈曲させるとともに、隣接する硬質プラスチック製中空状板部材の上面同士が接面するように折り畳まれたさいに両者の湾曲曲面または屈曲面の凹凸部が互いに合致するようになされていることを特徴とする折り畳み式浴槽蓋。
【請求項２】
前記硬質プラスチック製中空状板部材の凹凸状の凹状の部分には空気抜き用の溝を設けたことを特徴とする請求項１記載の折り畳み式浴槽蓋。
【発明の詳細な説明】
【０００１】
【発明の属する技術分野】
本発明は、浴槽内の湯の保温をするために使用する折り畳み式浴槽蓋に関するものである。
【０００２】
【従来の技術】
浴槽内の湯の保温をするために、一般に浴槽上端面に密接するように下面が平面状をなした浴槽蓋が使用されているが、この蓋が一体的に形成されている場合には、重くて取扱いが困難なところから、複数枚に分割した浴槽蓋が広く使用されている。
【０００３】
この場合には、浴槽蓋が分割された状態のままであるときには、使用にさいして浴槽上端面に密接するように配置してもぴったりと密接しないために放熱が多くなるところから、浴槽蓋を軟質プラスチック製連結部材にて連結して放熱を抑制する配慮がなされている。
しかも、このように軟質プラスチック製連結部材で連結することにより、その箇所で折り畳み可能とすることができるところから、使用にさいしての取扱いの便利さについての配慮もなされている。
【０００４】
しかしながら、プラスチックを使用する際には強度を高くするために、厚くする必要があり、重量が大きくなることや、コストが高くなるという欠点があり、さらに浴槽蓋を折り畳んだときに、蓋の上面が平坦であれば、蓋同士にずれが生じて人体に損傷を与える危険や、軟質プラスチック製連結部材に過度の荷重が加わり、損傷するなどの問題があった。
【０００５】
【発明が解決しようとする課題】
本発明は、上記のような従来の欠点を改善して、硬質プラスチック製中空状板部材を軟質プラスチック製連結部材にて連結することにより放熱を抑制するという利点を保持し、しかも折り畳み可能で収納が便利な浴槽蓋を提供するとともに、さらに浴槽蓋を折り畳んだときに、蓋同士にずれが生じて人体に損傷を与える危険や、軟質プラスチック製連結部材に過度の荷重が加わることによる損傷を生ずることがなく、さらに比較的薄くしてコストの低減と取扱いの容易さを図ることの可能な折り畳み式浴槽蓋を提供することを目的とするものである。
【０００６】
【課題を解決するための手段】
本発明は、かかる目的を達成するものであって、請求項１記載の発明は、複数の同一形状の硬質プラスチック製中空状板部材をそれぞれ軟質プラスチック製連結部材にて連結して折り畳み可能にした浴槽蓋において、前記硬質プラスチック製中空状板部材は、内部に中空部と補強桟とを有する形状の長手方向の任意の個所における断面が同一形状をなすように押出成形されたものを切断したものであって、その切断端にはキャップを固着しており、硬質プラスチック製中空状板部材の上面を凹凸状に湾曲または屈曲させるとともに、隣接する硬質プラスチック製中空状板部材の上面同士が接面するように折り畳まれたさいに両者の湾曲曲面または屈曲面の凹凸部が互いに合致するようになされていることを特徴とする折り畳み式浴槽蓋である。
【０００７】
請求項２記載の発明は、前記硬質プラスチック製中空状板部材の凹凸状の凹状の部分には空気抜き用の溝を設けたことを特徴とする請求項１記載の折り畳み式浴槽蓋である。
【０００８】
【発明の実施の形態】
以下、本発明を図示の実施例に従って詳細に説明する。
【０００９】
図１において、１は本発明の折り畳み式浴槽蓋であり、該折り畳み式浴槽蓋１は、複数の硬質プラスチック製中空状板部材１０，…を軟質プラスチック製連結部材２０，…にて連結して折り畳み可能に形成したものである。
【００１０】
硬質プラスチック製中空状板部材１０，…は、ＡＢＳ樹脂、ポリ塩化ビニルなどの硬質プラスチックで内部に中空部１１を有するように成形されたものである。このように、中空状に成形されているため、軽量で、保温効果が優れており、さらにこの形状を補強するために補強桟１２が少なくとも上下方向に設けられていることが望ましい。硬質プラスチック製中空状板部材１０，…は、長手方向の任意の個所における断面が同一形状をなしていることが望ましく、この場合には、押出成形が可能であり、大量生産が可能となる。この場合には、長尺状に押出成形され、所望の長さで切断されて、切断端部には所定の長さに連続的に接合されたあとキャップが接着、融着等により固着される。
【００１１】
さらに、硬質プラスチック製中空状板部材１０，…の下面１３は、浴槽の上端面に密接しやすいように平面状をなしていることが望ましいが、薄い滑り止め１５を取着けることが望ましい。図では、滑り止め１５を分かりやすく表示するため比較的厚く表示したが、実際には薄くて、しかも圧縮により縮小され、硬質プラスチック製中空状板部材１０，…の下面１３のすべてが浴槽の上端面に密着しうる程度であることが望ましい。
【００１２】
硬質プラスチック製中空状板部材１１，…の上面１４は、図１〜３，図５に示すように凹凸状に湾曲または図４に示すように凹凸状に屈曲されている。これにより、強度を向上させることができ、比較的薄くしてコストの低減を図ることが可能である。さらにこの形状は、図１〜図５に示すように、隣接する硬質プラスチック製中空状板部材１０，…の上面同士１４，１４が接面するように折り畳まれたさいに両者の湾曲曲線または屈曲曲面の凹凸部が互いに合致するようになされている。これにより、浴槽上などで浴槽蓋を折り畳んだときに、硬質プラスチック製中空状板部材１０，…同士に不測のずれが生じて、人体に損傷を与える危険や、軟質プラスチック製連結部材２０，…に過度の荷重が加わることによる損傷を未然に防止することができる。
【００１３】
前記硬質プラスチック製中空状板部材の凹凸状の凹状などの部分には空気抜き用の溝を設けてあることが望ましく、この場合には接面部の水分などによる強度の密着状態をこの溝があることによって、容易に分離させることができ、折り畳み作業を簡易に行うことができる。
【００１４】
図１、図２において、軟質プラスチック製連結部材２０，…は、両側部には硬質のプラスチック製膨出部２１を備え、中央部には軟質のポリウレタン、軟質ポリ塩化ビニル、スチレン系などのエラストマーなどの軟質合成樹脂でテープ状部２２を備えている。長手方向の任意の個所における断面が同一形状をなしていることが望ましく、この場合には、押出成形が可能であり、大量生産が可能となる。軟質プラスチック製連結部材２０，…の端部は、硬質プラスチック製中空状板部材１０，…の両側部に形成した凹部１６に挿入することにより連結されるため、硬質プラスチック製中空状板部材１０，…と軟質プラスチック製連結部材２０，…との間には隙間が生ずることがなく、放熱を可及的に抑制することができる。
【００１５】
硬質プラスチック製中空状板部材１０，…と軟質プラスチック製連結部材２０，…との連結手段は、このほか各種の手段を採用することが可能であり、図５に示すように、軟質プラスチック製連結部材の一端と硬質プラスチック製中空状板部材の一端とを、同時押し出し成形により一体的に成形しておき、順次連結することもできる。あるいは硬質プラスチック製中空状板部材１０，…と軟質プラスチック製連結部材２０，…とをそれぞれ別個に成形して、接着、融着、嵌合、連結具などの各種の手段により連結することも可能である。
【００１６】
【発明の効果】
本発明の折り畳み式浴槽蓋は、硬質プラスチック製中空状板部材を軟質プラスチック製連結部材にて連結することにより放熱を抑制するという利点を保持し、しかも折り畳み可能で収納が便利な浴槽蓋を提供するとともに、さらに浴槽蓋を折り畳んだときに、硬質プラスチック製中空状板部材同士に不測のずれが生じて、人体に損傷を与える危険や、軟質プラスチック製連結部材に過度の荷重が加わることによる損傷がなく、さらに比較的薄くしてコストの低減、取扱いの容易さを図ることが可能である。
【図面の簡単な説明】
【図１】  本発明の折り畳み式浴槽蓋の一例の要部を示す正断面図である。
【図２】  図１の折り畳み式浴槽蓋を折り畳んだ状態の要部を示す正断面図である。
【図３】  本発明の折り畳み式浴槽蓋の一例の折り畳み式浴槽蓋を折り畳んだ状態の正面図である。
【図４】  本発明の折り畳み式浴槽蓋の他の例の要部を示す正面図である。
【図５】  本発明の折り畳み式浴槽蓋のさらに他の例の要部を示す正面図である。
【符号の説明】
１：折り畳み式浴槽蓋
１０，…：硬質プラスチック製中空状板部材
１１：中空部
１２：補強桟
１３：下面
１４：上面
１５：滑り止め
１６：凹状掛止部
２０，…：軟質プラスチック製連結部材
２１：プラスチック製膨出部
２２：軟質合成樹脂テープ状部
【図１】
0003793476.tif 000002
【図２】
0003793476.tif 000003
【図３】
0003793476.tif 000004
【図４】
0003793476.tif 000005
【図５】
0003793476.tif 000006